【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
呼吸回路の構成要素であって、
患者側インターフェース要素へ接続される第１の端部と、
呼吸回路の２つに分岐する枝部に直接的又は間接的に接続される第２の端部と、
外側導管と、
前記第１の端部と前記第２の端部との間に前記外側導管内に延在する内側導管と、を有し、
前記外側導管と前記内側導管との間に形成される外側ガス流路と、前記内側導管内により形成される内側ガス流路とに、前記呼吸回路の構成要素を明瞭に分割し、
前記内側ガス流路から前記外側ガス流路の前記明瞭な分割は使用中に患者による呼気の再呼吸を低減するように構成され、
前記外側導管における包囲壁の少なくとも一部の領域が、液体の水および呼吸気体の通過を許容することなく水蒸気の通過を許容する材料で設けられ、
前記材料を通して前記外側ガス流路から周囲空気への水蒸気流路が形成される、
ことを特徴とする呼吸回路の構成要素。
【請求項２】
前記材料は、（ａ）親水性の熱可塑性材料、（ｂ）全フッ素化したポリマー材料、（ｃ）織布、から選択される、請求項１に記載の呼吸回路の構成要素。
【請求項３】
前記材料は、全フッ素化ポリマーの薄膜である、請求項１に記載の呼吸回路の構成要素。
【請求項４】
前記材料は、親水性のポリエステルブロックコポリマーである、請求項１に記載の呼吸回路の要素。
【請求項５】
前記外側導管の少なくとも一部の領域は、自立するには不十分な強度の壁膜を含む、請求項１乃至４のいずれか一項に記載の呼吸回路の要素。
【請求項６】
前記少なくとも一部の領域は、細長く、少なくとも前記外側導管の全長の実質的な部分に延びている、請求項１乃至５のいずれか一項に記載の呼吸回路の構成要素。
【請求項７】
前記外側導管の長手方向に一連の前記領域が離間して配置されている、請求項１乃至５のいずれか一項に記載の呼吸回路の構成要素。
【請求項８】
前記領域を含む前記外側導管は、押出成形されている、請求項１乃至５のいずれか一項に記載の呼吸回路の構成要素。
【請求項９】
前記押出成形された外側導管の全体が前記材料である、請求項８に記載の呼吸回路の構成要素。
【請求項１０】
前記領域は、前記外側導管の全長にわたって延びる１つ以上の細長い帯である、請求項８に記載の呼吸回路の構成要素。
【請求項１１】
前記外側導管の壁は、少なくとも１つの螺旋状に巻かれたポリマーテープ又は帯を含み、前記少なくとも１つの帯の一部又は全てに前記材料が用いられ、前記少なくとも１つの帯の隣接する巻き掛け部分の各縁部が結合又は重ね合わせて結合されている、請求項１乃至５のいずれか一項に記載の呼吸回路の構成要素。
【請求項１２】
前記外側導管の壁は、長手方向に延びる少なくとも１つの帯を含み、前記少なくとも１つの帯の一部又は全体に前記材料が用いられ、前記少なくとも１つの帯は前記外側導管の軸に平行に延び、前記少なくとも１つの帯の隣接する巻き掛け部分の各縁部が結合又は重ね合わされ結合された封入管を形成している、請求項１乃至５のいずれか一項に記載の呼吸回路の構成要素。
【請求項１３】
前記外側導管は、前記材料から成る吹込フィルム管である、請求項１乃至５のいずれか一項に記載の呼吸回路の構成要素。
【請求項１４】
潰れに対する横方向の補強部材を含む、請求項１０乃至１３のいずれか一項に記載の呼吸回路の構成要素。
【請求項１５】
前記横方向の補強部材が、複数の環状波形部を含み、離散的な複数のリングまたは１つ以上の螺旋波形部が前記外側導管の全長にわたって分布されている、請求項１４に記載の呼吸回路の構成要素。
【請求項１６】
前記横方向の補強部材が、前記外側導管の全長にわたって分布した、螺旋ビード、一連のリング状ビード又はリブである、請求項１４に記載の呼吸回路の構成要素。
【請求項１７】
潰れに対する横方向の補強部材を含み、前記横方向の補強は、前記少なくとも１つの帯の前記隣接する巻き掛け部分の間の隣接又は重複する縁部に配置された螺旋状のビードを含む、請求項１１に記載の呼吸回路の構成要素。
【請求項１８】
前記横方向の補強は、前記外側導管内に設けた骨格状の補強構造である、請求項１４に記載の呼吸回路の構成要素。
【請求項１９】
前記第２の端部には、Ｙコネクタが組み込まれている、請求項１に記載の呼吸回路の構成要素。
【請求項２０】
前記材料は、親水性の熱可塑性材料である、請求項１に記載の呼吸回路の構成要素。
【請求項２１】
前記材料は、親水性の熱可塑性ポリエステルブロックコポリマーである、請求項１に記載の呼吸回路の構成要素。
【請求項２２】
少なくとも吸気の大部分を前記内側ガス流路に流すように導く吸気制御子と、
少なくとも呼気の大部分を前記外側ガス流路に流すように導く呼気制御子との、いずれか一つを少なくともさらに含む、請求項１に記載の呼吸回路の要素。
【請求項２３】
前記外側導管は、前記外側導管の長手方向への延伸に対する長手方向の補強を含む、請求項１に記載の呼吸回路の要素。
【請求項２４】
前記長手方向の補強は、前記外側導管の壁の周方向に離間するように配置された複数の糸条を含み、前記複数の糸条のそれぞれは前記外側導管の中心軸線全体に実質的に平行に配置されている、請求項２３に記載の呼吸回路の構成要素。
【請求項２５】
前記外側導管は、少なくとも1つの螺旋状に巻かれたポリマーテープまたは帯を含み、前記少なくとも１つの帯の一部又は全体に前記材料が用いられ、前記少なくとも１つの帯の隣接する巻き掛け部分の各縁部が結合又は重ね合わせて結合されており、前記長手方向の補強は前記外側導管の壁の周方向に離間するように配置された複数の複数の糸条を含み、前記複数の糸条のそれぞれは前記外側導管の中心軸線全体に実質的に平行に配置され、前記複数の糸条は前記少なくとも１つの帯の前記隣接する巻き掛け部分と隣接又は重複する縁部に配置された螺旋状のビードによって前記外側導管から離れて支持されている、請求項２３に記載の呼吸回路の構成要素。
【請求項２６】
前記複数の糸条のそれぞれは、前記ビードと交差する部分において前記ビードと結合され、前記ビードの隣接する巻き掛け部分の間に掛け渡されている、請求項２５に記載の呼吸回路の構成要素。
【請求項２７】
前記長手方向の補強は、前記外側導管の周りに配置され、且つ前記ビード上に支持されている外側シースを含む、請求項２５に記載の呼吸回路の構成要素。
【請求項２８】
前記外側シースは、前記材料で成る１以上の領域を含む、請求項２７に記載の呼吸回路の構成要素。
【請求項２９】
前記外側シースは、前記外側シースを貫通する複数の穴または穿孔を有している、請求項２７に記載の呼吸回路の構成要素。
【請求項３０】
前記長手方向の補強は、前記外側導管の周りに配置され、且つ前記外側導管壁に結合する外側シースを含む、請求項２３に記載の呼吸回路の構成要素。
【請求項３１】
一端が患者側インターフェース要素に接続し、他端が呼吸回路の２つに分岐する枝部に直接的又は間接的に接続するための短い長さの呼吸導管と、
複数のガス流路を含み、それぞれの流路を規定する流路壁を有し前記呼吸導管を分割し、前記呼吸導管の長手方向の少なくとも実質的な部分に対して延びる分離壁と、
少なくとも以下のいずれか１つの、
第１の選択による前記流路に少なくとも吸気の大部分を流すように導くための吸気制御子と、
前記第１の選択と排他的な第２の選択によって、前記第２の選択による前記流路に少なくとも呼気の大部分を流すように導くための呼気制御子と、を有し、
前記第２の選択による前記流路壁の少なくとも一部の領域は、液体の水または呼吸気体の通過を許容することなく、水蒸気の通過を可能にする材料から成ること、を特徴とするカテーテルマウント。